(57)【要約】【課題】ブラシによりエアフィルタを自動的に清掃する空気調和装置において、ブラシの毛に付着した塵埃を十分に除去できる清掃部材を提供する。【解決手段】清掃部材である櫛部６０，６１を２段に設ける。そして、櫛部６０，６１の歯６０ａ，６１ａのブラシ２７の毛２７ａへの接触のさせ方を互いに異ならせる。そのために、ブラシ２７の毛２７ａへの櫛部６０，６１の歯６０ａ，６１ａの侵入角度α，βを互いに異ならせる。【選択図】図７
2010032133.tif 000002
【特許請求の範囲】
【請求項１】
エアフィルタ（６）と、
前記エアフィルタに付着した塵埃を掻き落とすための毛（２７ａ）を有するブラシ（２７）と、
前記ブラシの前記毛についた塵埃を取り除くために、前記ブラシに接触する複数の清掃部材（６０，６１，６２，６３，６４．６５，６６，６７，６８，６９）とを備え、
前記複数の清掃部材は、前記ブラシの前記毛への接触の仕方が互いに異なる、空気調和装置。
【請求項２】
前記複数の清掃部材は、第１清掃部材（６０，６７）と第２清掃部材（６１，６２，６３，６４，６５，６６，６８，６９）を含み、
前記第１清掃部材と前記第２清掃部材とは、形状及び前記ブラシとの相対的位置関係のうち少なくとも一方が互いに異なる、請求項１に記載の空気調和装置。
【請求項３】
前記第１清掃部材（６０）及び前記第２清掃部材（６１）は、前記ブラシの前記毛に差し込む櫛状の歯（６０ａ，６１ａ）を有し、前記ブラシの前記毛の伸びる方向に対する前記歯の角度が互いに異なる、請求項２に記載の空気調和装置。
【請求項４】
前記第１清掃部材（６０）及び前記第２清掃部材（６２）は、前記ブラシの前記毛に差し込む櫛状の歯（６０ａ，６２ａ）を有し、前記ブラシの前記毛の中への前記歯の差し込み量が互いに異なる、請求項２に記載の空気調和装置。
【請求項５】
前記第１清掃部材（６０）及び前記第２清掃部材（６１）は、前記ブラシの前記毛に差し込む櫛状の歯（６０ａ，６１ａ）を有し、前記歯のピッチ及び幅のうち少なくとも一方が互いに異なる、請求項２に記載の空気調和装置。
【請求項６】
前記第１清掃部材（６０）及び前記第２清掃部材（６３，６４，６５）は、前記ブラシの前記毛に差し込む櫛状の歯（６０ａ，６３ａ，６４ａ，６５ａ）を有し、前記歯の形状が互いに異なる、請求項２に記載の空気調和装置。
【請求項７】
前記ブラシは、回転しながら前記第１清掃部材及び前記第２清掃部材に接し、
前記第１清掃部材（６１，６７）は、前記ブラシの前記毛に差し込まれる櫛状の歯を有し、
前記第２清掃部材（６６，６８）は、前記ブラシの長手方向に連なって伸び、前記ブラシの前記毛に差し込まれる連続体（６６ａ，６８ａ）を有する、請求項２に記載の空気調和装置。
【請求項８】
前記複数の清掃部材は、第３清掃部材（６９）をさらに含み、
前記第３清掃部材は、前記ブラシの長手方向に連なって伸び、前記ブラシの前記毛に差し込まれる連続体（６９ａ）を有し、
前記第２清掃部材と前記第３清掃部材とは、前記ブラシの前記毛への前記連続体の差し込み量が互いに異なる、請求項７に記載の空気調和装置。
【発明の詳細な説明】
【技術分野】
【０００１】
本発明は、空気調和装置に関し、特に、フィルタの清掃機能を有する空気調和装置に関する。
【背景技術】
【０００２】
空気調和装置は、その本体ケーシング内に熱交換器と送風ファンとを備えている。この送風ファンにより、室内空気をケーシング内に吸い込み、熱交換器を通してケーシング外に吹き出している。熱交換器においては、室内空気の加熱又は冷却によって空気の調和が行われる。この吸い込まれた室内空気に塵埃が含まれていると、熱交換器や送風ファンに付着し、熱交換能力の低下や機器の故障の原因となる。そこで、空気調和装置の空気吸込口には、吸い込んだ空気に含まれる塵埃の侵入を防ぐため、エアフィルタが取り付けられている（特許文献１参照）。
【０００３】
ところが、エアフィルタで塵埃を除去すると、除去した塵埃はエアフィルタに溜まって徐々にエアフィルタが目詰まりして行くことになる。フィルタの目詰まりにより、送風ファンで熱交換器に送られる室内空気の量が減少したり、同じ量を送ろうとして送風ファンでの電力消費が大きくなったりする。そのような不具合を防ぐため、エアフィルタの清掃が必要になる。このエアフィルタの清掃の手間を省くため、ブラシによって自動的に塵埃を清掃する手段を設けた空気調和装置が提案されている（特許文献２参照）。
【特許文献１】特開平１１−２３０５１号公報
【特許文献２】特開２００７−１５５２４１号公報
【発明の開示】
【発明が解決しようとする課題】
【０００４】
空気調和装置の本体ケーシング内において、自動的に、エアフィルタに付着した塵埃をブラシにより掻き落すタイプでは、ブラシの毛に付着した塵埃を取り除いてやらないと、ブラシによるエアフィルタの清掃能力が落ちるばかりでなく、かえって塵埃を撒き散らして熱交換器や送風ファンへの付着を促してしまう。
【０００５】
本発明の課題は、ブラシによりエアフィルタを自動的に清掃する空気調和装置において、ブラシの毛に付着した塵埃を十分に除去できる清掃機構を提供することにある。
【課題を解決するための手段】
【０００６】
第１発明に係る空気調和装置は、エアフィルタとブラシと複数の清掃部材とを備える。ブラシは、エアフィルタに付着した塵埃を掻き落とすための毛を有する。複数の清掃部材は、ブラシの毛についた塵埃を取り除くために、ブラシに接触する。これら複数の清掃部材は、ブラシの毛への接触の仕方が互いに異なる。
【０００７】
本発明によれば、ブラシの毛との接触の仕方が異なることから、清掃部材ごとにブラシの毛を揺らす揺らし方に差を設けることができる。
【０００８】
第２発明に係る空気調和装置では、第１発明の空気調和装置であって、複数の清掃部材は、第１清掃部材と第２清掃部材を含む。第１清掃部材と第２清掃部材とは、形状及びブラシとの相対的位置関係のうち少なくとも一方が互いに異なる。
【０００９】
ここで相対的位置関係とは、単に回転方向にずれただけでブラシの毛に対する接触の仕方がほとんど変化しないような絶対的位置関係に対立する用語であり、ブラシが回転する向きに移動させて第１清掃部材と第２清掃部材を重ねたときにズレを生じている関係をいう。
【００１０】
本発明によれば、形状や挿入形態などのブラシとの相対的位置関係を異ならせることで、ブラシの毛との接触の仕方を大きく異ならせることができる。
【００１１】
第３発明に係る空気調和装置は、第２発明の空気調和装置であって、第１清掃部材は、ブラシの毛に差し込む櫛状の歯を有する。また、第２清掃部材も、ブラシの毛に差し込む櫛状の歯を有する。これら第１清掃部材及び第２清掃部材は、ブラシの毛の伸びる方向に対する歯の角度が互いに異なる。
【００１２】
本発明によれば、櫛状の歯によって梳き取るという効果があるが、第１清掃部材及び第２清掃部材のうち、ブラシの奥まで入り込んだ塵埃は角度の大きい歯の方が掻き落とし易く、ブラシの毛の先端に近い浅いところの塵埃は角度の小さい歯が掻き落とし易い。
【００１３】
第４発明に係る空気調和装置は、第２発明の空気調和装置であって、第１清掃部材は、ブラシの毛に差し込む櫛状の歯を有する。また、第２清掃部材も、ブラシの毛に差し込む櫛状の歯を有する。これら第１清掃部材及び第２清掃部材は、ブラシの毛の中への歯の差し込み量が互いに異なる。
【００１４】
本発明によれば、櫛状の歯によって梳き取るという効果があるが、第１清掃部材及び第２清掃部材のうち、ブラシの奥まで入り込んだ塵埃は奥まで差し込んだ歯で掻き落とし易く、ブラシの毛の先端に近い浅いところの塵埃は浅く差し込んだ歯の方が掻き落とし易い。
【００１５】
第５発明に係る空気調和装置は、第２発明の空気調和装置であって、第１清掃部材は、ブラシの毛に差し込む櫛状の歯を有する。また、第２清掃部材も、ブラシの毛に差し込む櫛状の歯を有する。これら第１清掃部材及び第２清掃部材は、歯のピッチ及び幅のうち少なくとも一方が互いに異なる。
【００１６】
本発明によれば、櫛状の歯によって梳き取るという効果があるが、複数の清掃部材の櫛状の歯のピッチまたは幅が異なると、前の清掃部材の歯に当たって曲げられたブラシの毛が、後の清掃部材の歯では別の角度に曲げられる。つまり、ピッチが異なれば２本の歯で束ねられるグループに属するブラシの毛が異なる。また、幅が異なれば束ねられたブラシの毛がもとに戻る時の撥ね方に差が出る。それにより、簡単な構成でブラシの毛の揺れ方に変化をもたせることができる。
【００１７】
第６発明に係る空気調和装置は、第２発明の空気調和装置であって、第１清掃部材は、ブラシの毛に差し込む櫛状の歯を有する。また、第２清掃部材も、ブラシの毛に差し込む櫛状の歯を有する。これら第１清掃部材及び第２清掃部材は、歯の形状が互いに異なる。
【００１８】
本発明によれば、複数の清掃部材の櫛状の歯の形状が互いに異なることから、歯の隙間にはいるブラシの毛の曲がり方を、第１清掃部材と第２清掃部材で異ならせることができ、梳き方に変化をもたせることができる。
【００１９】
第７発明に係る空気調和装置は、第２発明の空気調和装置であって、ブラシは、回転しながら第１清掃部材及び第２清掃部材に接する。第１清掃部材は、ブラシの毛に差し込まれる櫛状の歯を有する。一方、第２清掃部材は、ブラシの毛に差し込まれる連続体を有する。この連続体は、ブラシの長手方向に連なって伸びる。
【００２０】
本発明によれば、第２清掃部材でブラシの毛を回転方向に揺する。揺することで埃がブラシから離脱しやすい状態にできる。それにより、第１清掃部材だけの場合に比べて十分に塵埃を除去することができる。
【００２１】
第８発明に係る空気調和装置は、第７発明の空気調和装置であって、複数の清掃部材は、第３清掃部材をさらに含む。第３清掃部材は、ブラシの毛に差し込まれる連続体を有する。この連続体は、ブラシの長手方向に連なって伸びる。第２清掃部材と第３清掃部材とは、ブラシの毛への連続体の差し込み量が互いに異なる。
【００２２】
本発明によれば、第２清掃部材と第３清掃部材において、平板状や棒状の連続体の差し込み量を変えるだけで、異なる塵埃の除去のモードをさらに付け加えることができる。
【発明の効果】
【００２３】
第１発明に係る空気調和装置では、ブラシの毛の揺れ方の違いにより、ブラシの毛からの塵埃の除去のされ方のバリエーションが豊富になるため、塵埃を十分に除去することができる。
【００２４】
第２発明に係る空気調和装置では、ブラシの毛との接触の仕方を大きく異ならせることができ、塵埃を効果的に十分に除去することができる。
【００２５】
第３発明に係る空気調和装置では、歯の角度を異ならせるので、ブラシの奥も浅いところも塵埃を十分に除去することができる。
【００２６】
第４発明に係る空気調和装置では、歯の挿入量を異ならせるので、ブラシの奥も浅いところも塵埃を十分に除去することができる。
【００２７】
第５発明に係る空気調和装置では、歯のピッチの違いからくる梳き方の違いや毛の揺すり方の違いで、塵埃の十分な除去ができる。
【００２８】
第６発明に係る空気調和装置では、歯で梳くときのブラシの毛の曲がり方を違えて、形状や性質の異なる塵埃を十分に除去することができる。
【００２９】
第７発明に係る空気調和装置では、第２清掃部材を平板状や棒状部材などの簡素な連続体で構成でき、安価な構成で十分な塵埃除去が可能になる。
【００３０】
第８発明に係る空気調和装置では、第２清掃部材と第３清掃部材のコンビネーションで新たな塵埃除去のモードを形成し、塵埃の十分な除去ができる。
【発明を実施するための最良の形態】
【００３１】
＜空気調和装置の構成の概要＞
図１は、本発明の一実施形態に係る空気調和装置の室内機の外観を示す斜視図である。図１に示すように、空気調和装置の室内機１は、ケーシング２と化粧パネル3とを備えている。この空気調和装置の室内機１は、天井設置型であって、ケーシング２が天井に埋め込まれ、化粧パネル３が室内（下方）に向けて取り付けられる。化粧パネル３には、吸込口５と吹出口１３とが設けられている。吸込口５には、可動パネル４が設けられ、吹出口１３には、風向調節羽根１２が設けられている。
【００３２】
図２は、可動パネル４が閉じている状態で、図１におけるＡ−Ａ線で切断した断面図である。空気調和装置の室内機１の運転時には、可動パネル４が開き、吸込口５から室内の空気を取り込む。吸込口５から吸い込まれた空気は、エアフィルタ６を通過して吸込み流路７に吸込まれる。このとき、エアフィルタ６により、室内の空気に含まれていた塵埃がエアフィルタ６で取り除かれる。
【００３３】
クロスフローファン９によって吸込み流路７から熱交換器８に導かれた空気は、熱交換器８で加熱または冷却される。熱交換器８によって調和された空気は、クロスフローファン９によって吹出し流路１０に送り込まれる。
【００３４】
クロスフローファン９によって吹出し流路１０に送り込まれた空気は、さらに、風向調節羽根１１，１２を通って適切な向きに向けられ、吹出口１３から室内に吹き出される。
【００３５】
なお、熱交換器８で空気が調和される際に発生する結露水は、熱交換器８を伝ってドレンパン１４で受け止められる。そのため、ドレンパン１４は、熱交換器１２の下方に配置され、結露水が直接落下する可能性のある範囲の全域を占めている。
【００３６】
エアフィルタ６で取り除いた塵埃は、室内の空気がエアフィルタ６を通過すればするほどエアフィルタ６に蓄積して行く。そのため、定期的にエアフィルタ６の清掃がフィルタ清掃機構２０によって行われる。エアフィルタ清掃機構２０は、エアフィルタ６を収納するエアフィルタ収納部２１と、エアフィルタ６を清掃するためのブラシ２７と、エアフィルタ６から掻き落とされた塵埃を溜めるために可動パネル４に設けられたダストボックス２９とを備えている。
【００３７】
図３及び図４を用いて室内機１の動作の概要を説明する。図３（ａ）には、室内機１の運転時の状態を示している。運転時には、可動パネル４が開かれ、吸込口５から室内の空気が取り込まれる。このとき、可動パネル４を開くために、化粧パネル３側に固定されているロック装置５１により可動体５２が収納部に収納され、可動パネル４に設けられている保持部５４から可動体５２が外される。可動体５２が保持部５４から外された状態で、昇降装置５０がワイヤ５５を繰り出すことによって、一方端縁部が掛支されている可動パネル４が回動して開く。なお、ワイヤ５５は、図３（ａ）では記載を省略しているが、図３（ｃ）に示すと同様にワイヤ５５が可動パネル４に取り付けられている。
【００３８】
図３（ｂ）は、運転を停止している状態を示しており、この状態の時に、ブラシ２７によるエアフィルタ６の清掃が行われる。このとき、可動パネル４を閉じた状態で係止しておくために、ロック装置５１により可動体５２が保持部５４に挿入された状態となっている。可動パネル４が開いた図９（ａ）の状態から可動パネル４を回動させて引き上げたために、昇降装置５０がワイヤ５５を巻き取った状態になっている。
【００３９】
図３（ｃ）は、ダストボックス２９の清掃を行うために、可動パネル４を吊り降ろした状態を示している。可動パネル４を水平の状態で降下させるために、可動パネル４の一方端縁部の軸支が解除されている。そのため、可動体５２を保持部５４から外して昇降装置５０がワイヤ５５を繰り出せば、図３（ｃ）に示す状態で可動パネル４が降下する。この降下した可動パネル４からダストボックス２９を取り外してダストボックス２９の中の塵埃を廃棄する。
【００４０】
図４は、可動パネル４が降下した状態を示す斜視図である。図４から昇降装置５０にはワイヤ５５を繰り出すためのモータ５６が設けられていることが分かる。また、可動パネル４を降下させるためには、ヒンジ連結装置５７が可動パネル４の端部との連結を解除し、ロック装置５１が可動パネル４のロックを解除する。ヒンジ連結装置５７は、モータ５９の駆動によって、掛支部材５８を可動パネル４から外す。ロック装置５１のロックを解除するには、可動体５２を収納部５３に収納することで保持部５４から可動体５２を抜き取る。
【００４１】
＜エアフィルタ収納部の構成＞
図５はエアフィルタ収納部の断面図である。フィルタ清掃機構２０のエアフィルタ収納部２１は、前方収納部２２と後方収納部２３に分かれている。図５に示すように、前方収納部２２には前方収納経路２４があり、後方収納部２３には後方収納経路２５がある。断面視直線状の前方収納経路２４では、運転時にエアフィルタ６が留まってフィルタ機能を発揮し、あるいは清掃時にエアフィルタ６が移動して出て行く。また、後方収納径路２５には、エアフィルタ６の清掃時にエアフィルタ６が移動して入ってくる。この後方収納経路２５には湾曲領域２５ａがあって、湾曲領域２５ａは、後方収納部２３の終端部に達する、後方収納経路２５の大部分を占める領域である。後方収納経路２５が湾曲領域２５ａを有しているのは、フィルタ清掃機構２０の占有領域を小さくして空気調和装置の室内機１をコンパクトにするためである。
【００４２】
エアフィルタ６を移動させるために、エアフィルタ６にはラックギア６ａが形成されており、このラックギア６ａは、エアフィルタ６の縁部に一体的に形成されている。そして、駆動モータ３７が駆動歯車３７ａと伝達歯車３７ｂを介してピニオンギア２６を回転させる。ピニオンギア２６の回転がラックギア６ａに伝達され、エアフィルタ６は前方収納経路２４と後方収納経路２５の間を移動する。
【００４３】
また、ブラシ２７は、回転自在にフィルタ清掃機構２０に取り付けられている。ブラシ２７の回転軸には、最終伝達ギア３８ｃが固着されている。ブラシ２７を回転させるために、ブラシ駆動モータ３８が駆動歯車３８ａと中間伝達歯車３８ｂを介してブラシ２７の最終歯車３８ｃを回転させる。ブラシ２７は、回転軸から放射状に伸びるプラスチック製の毛２７ａを有しており、毛２７ａがブラシ２７の回転によりエアフィルタ６を叩くことによってエアフィルタ６の塵埃を除去する。
【００４４】
＜エアフィルタの清掃＞
図６を用いてエアフィルタの清掃について説明する。図６（ａ）は、エアフィルタ６が前方収納部２２にあるときのエアフィルタ収納部２１の断面図である。図６（ｂ）は、エアフィルタ６が後方収納部２２にあるときのエアフィルタ収納部２１の断面図である。図６（ｃ）は、エアフィルタ６を取り出すときのエアフィルタ収納部２１の断面図である。
【００４５】
既に説明した図２にあるように、フィルタ清掃機構２０のピニオンギア２６は、エアフィルタ収納部２１の吸込み流路７の側であって、前方収納経路２４と後方収納経路２５の境界に配置されている。また、フィルタ清掃機構２０のブラシ２７は、エアフィルタ収納部２１の吸込口５の側にであって、前方収納経路２４と後方収納経路２５の境界に配置されている。このブラシ２７は、つまり、エアフィルタ６を挟んで、ピニオンギア２６と対向する位置に配置されている。ブラシ２７は、前方収納経路２４と後方収納経路２５の境界に沿って長く延びており、ブラシ２７の毛２７ａによってエアフィルタ６の所定範囲を清掃できるよう設けられている。
【００４６】
空気調和装置の室内機１では、制御部（図示省略）により定期的に、あるいは使用者が必要とするときにリモートコントローラなどで使用者が命令を伝えたときに、エアフィルタ６が自動的に清掃される。空気調和装置の室内機１の運転中、図６（ａ）に示すように、エアフィルタ６は前方収納経路２４にあり、室内機１は図３（ａ）に示すように可動パネル４が開いた状態になっている。吸込口５からダストボックス２９へ向って来る空気を滑らかにエアフィルタ６へ向わせるために、図４に示すように、ダストボックス２９の吸込空気と対向する面２９ａは傾斜し、空気抵抗を低減している。運転中、エアフィルタ６の一方の縁部６ｄはピニオンギア２６にラックギア６ｃが噛み合うよう、ピニオンギア２６よりも後方収納経路２５の方に少しはみ出している。また、エアフィルタ６の他方の縁部６ｅは、前方収納経路２４のケーシング２側の終端部に突き当っている。前方収納部２２の終端部は、壁から外側方向に窪むよう形成されたケーシング２の凹部２ａに嵌め込まれている。それにより、エアフィルタ６の他方の縁部６ｅの外側を回り込む室内空気がないようにして、言い換えればエアフィルタ６を通過することなく吸込口５から吸込み流路７に流れ込む室内空気がないようにして、吸込む全ての室内空気のフィルタリングを行っている。なお、エアフィルタ６が前方収納部２２の終端部にあることは位置検知スイッチ３０によって検出される。
【００４７】
清掃は、運転停止時に行われ、図３（ｂ）に示すように、可動パネル４が閉じられて、吸込口５から吸込み流路７に向かって空気が流れない状態で行われる。清掃開始時には、図６（ａ）の状態でブラシ駆動モータ３８から最終伝達ギア３８ｃを介してブラシ２７に駆動力が伝達され、ブラシ２７が回転を始める。後方収納部２３の側から前方収納部２２の側へ向かってブラシ２７の毛２７ａがエアフィルタ６を掃く方向にブラシ２７は回転する。同時に、ピニオンギア２６に駆動モータ３７から駆動力が伝達され、ピニオンギア２６も回転を始める。
【００４８】
ブラシ２７の毛２７ａで掃かれながら、ピニオンギア２６の回転に伴ってエアフィルタ６が、前方収納経路２４から後方収納経路２５に向かって移動する。最終的には、図６（ｂ）に示すように、エアフィルタ６の一方の縁部６ｄが後方収納経路２４の終端部に設けられた位置検出スイッチ３０の所まで到達する。このとき、エアフィルタ６の他方の縁部６ｅはピニオンギア２６と噛み合っている。そして、図６（ｂ）の状態から、再び、ピニオンギア２６が逆方向に回転して、エアフィルタ６を後方収納部２３から前方収納部２２へと移動させる。そして、図６（ａ）の状態になったことを位置検出スイッチ３０が検出することにより、ピニオンギア２６とブラシ２７の駆動が止まってフィルタ清掃が終了する。エアフィルタ６が移動するだけでなくブラシ２７が回転することにより、エアフィルタ６の塵埃をより確実に掻き落とすことができる。
【００４９】
エアフィルタ６が図６（ａ）及び図６（ｂ）の状態にあるとき、可動枠部３４が閉じており、前方収納経路２２によってエアフィルタ６は下方から支えられている。使用者が、エアフィルタ６をメンテナンスするためにエアフィルタ収納部２１からエアフィルタ６を取り出すときは、図６（ｃ）に示すように、可動枠部３４を下方へ回動させて、エアフィルタ６を引き出す。
【００５０】
ブラシ２７によるエアフィルタ６の清掃を続け、清掃によってダストボックス２９に塵埃が溜まってくると、図３（ｃ）及び図４に示すように、可動パネル４をワイヤ５５に吊られた状態で使用者の手が届く位置まで降下させてダストボックス２９に溜まった塵埃を廃棄する。
【００５１】
＜清掃機構によるブラシの清掃＞
図７はブラシとダストボックスの関係を示す断面図である。図７に示すように、ダストボックス２９の上部の一方縁部２９ｃに開口部２９ｂが図面手前から奥に向かって伸びている。ダストボックス２９の一方縁部２９ｃには、また、２本の櫛部６０，６１からなるブラシ清掃機構２８が設けられている。この櫛部６０，６１も図７の図面手前から奥に向かって伸び、ブラシ２７の全長にわたって接触するように設けられている。
【００５２】
ダストボックス２９の一方縁部２９ｃの反対側の他方縁部２９ｄに向かって、開口部２９ｂから徐々に低くなるよう傾斜した面２９ａがある。面２９ａは、既に説明したように空気抵抗を低減するために傾斜しているが、さらに開口部２９ｂに近づくに従って傾斜角度を大きくした領域２９ａ１を設ける。この領域２９ａ１を設けることで、ブラシ２７に当たる室内空気の速度を弱め、塵埃がブラシ２７から飛散するのを防いでいる。この面２９ａはヒンジ２９ｅでダストボックス本体２９ｆに回動自在に取り付けられている。ダストボックス２９に塵埃が溜まったときは、ダストボックス２９を可動パネル４から外して、この面２９ａを開いて塵埃の廃棄を行う。
【００５３】
開口部２９ｂに配置されているブラシ２７は、回転軸の中心２７ｂが、ダストボックス２９の面２９ａの頂部２９ａ２よりも、ダストボックス２９の内側に入り込んでいる。それにより、ブラシ清掃機構２８により掻き落とされた塵埃がダストボックス２９の外に飛散するのを防いでいる。
【００５４】
ブラシ清掃機構２８の櫛部６０は、櫛部６０の上面６０ｃがブラシ２７の外周に交わる線６０ｂ及びブラシ２７の中心２７ｂの両方を含む面と櫛部６０の上面６０ｃとのなす角αが３５°に設定されている。一方、ブラシ清掃機構２８の櫛部６１は、櫛部６１の上面６１ｃがブラシ２７の外周に交わる線６１ｂ及びブラシ２７の中心２７ｂの両方を含む面と櫛部６１の上面６１ｃとのなす角βが２７°に設定されている。櫛部６０，６１は、ともに、ブラシ２７の毛２７ａを梳くための歯６０ａ、６１ａを有している。これらの歯６０ａ、６１ａの先端は、ブラシ２７の中心２７ｂから半径ｒ１の位置にまで達し、歯６０ａ、６１ａの付け根は、ブラシ２７の外周の外側にある。図８には、ブラシ清掃機構２８をダストボックス２９の上方から見た図を示している。長さＬ０の櫛部６０の歯６０ａがピッチＰ０で並んでおり、長さＬ１の櫛部６１の歯６１ａがピッチＰ１で並んでいる。櫛部６０の歯６０ａの方が櫛部６１の歯６１ａよりも長いのは、ブラシ２７に挿入されている櫛部６０の角度αが櫛部６１の挿入の角度βよりも大きいためである。櫛部６０の歯６１ａの方が櫛部６１の歯６１ａよりも長く、ブラシ２７から受ける力が大きくなる傾向があるため、櫛部６０の歯６１ａのピッチＰ０を櫛部６１の歯６１ａのピッチＰ１よりも大きくしている。なお、櫛部６１の上部に設けたリブ６１ｄは、ブラシ２７との隙間を狭くして、塵埃がダストボックス２９の外に漏れ出すのを防いでいる。
【００５５】
ブラシ清掃機構２８において、櫛部６０，６１を２段に設け、それぞれ異なる挿入角度α，βとしていることにより、ブラシ２７の毛２７ａの揺すり方を異ならせているので塵埃を十分に掻き落とせるが、特に、櫛部６０でブラシ２７の中心２７ｂに近い部分の塵埃を掻き落としやすく、櫛部６１でブラシ２７の外周に近い部分の塵埃を掻き落としやすくなるので、ブラシ２７の塵埃を中心２７ｂに近いところから外周に近いところまで幅広く十分に掻き落とすことができる。さらに、櫛部６０，６１の歯６０ａ、６１ａのピッチＰ０，Ｐ１を違えることにより、ブラシ２７の毛２７ａの揺すり方が櫛部６０，６１でことなり、塵埃を十分に除去できる。
【００５６】
なお、ここでは歯６０ａ，６１ａのピッチを変えているが、歯の幅Ｗ０，Ｗ１（または歯の隙間の間隔）を変えてもよい。
【００５７】
＜第２実施形態＞
第２実施形態による空気調和装置の室内機について図９を用いて説明する。第２実施形態の室内機は、第１実施形態の室内機とダストボックス２９に取り付けられたブラシ清掃機構２８が異なるだけである。第１実施形態では、２段の櫛部６０，６１の歯６０ａ，６１ａを異なる角度α，βで侵入させることにより、１段目と２段目で塵埃の掻き落とし方を異ならせる場合について説明したが、ブラシ２７に侵入させる角度を同じにして、図９に示すように侵入する深さを異ならせてもよい。つまり、２段目の櫛部６２の歯６２ａを、１段目の櫛部６０の歯６０ａと同じ角度αでブラシ２７に侵入させる。一方、歯６２ａの長さを歯６０ａよりも短くすることでブラシ２７への侵入深さを変えている。即ち、歯６０ａの先端はブラシ２７の中心２７ｂから半径ｒ１の位置に達するのに対し、歯６２ａの先端は中心２７ｂから半径ｒ２（＞ｒ１）の位置までしか達しない。それにより、１段目と２段目でブラシ２７の毛２７ａの揺すり方を異ならせているので塵埃を十分に掻き落とせるが、特に、櫛部６０でブラシ２７の中心２７ｂに近い部分の塵埃を掻き落としやすく、櫛部６２でブラシ２７の外周に近い部分の塵埃を掻き落としやすくなるので、ブラシ２７の塵埃を中心２７ｂに近いところから外周に近いところまで幅広く十分に掻き落とすことができる。なお、ブラシ清掃機構２８の櫛部６2は、櫛部６2の上面６２ｃがブラシ２７の外周に交わる線６０ｂ及びブラシ２７の中心２７ｂの両方を含む面と櫛部６０の上面６０ｃとのなす角γが３５°に設定されている。
【００５８】
＜第３実施形態＞
第３実施形態による空気調和装置の室内機について図１０を用いて説明する。第３実施形態の室内機は、第１実施形態の室内機とダストボックス２９に取り付けられたブラシ清掃機構２８が異なるだけである。第１実施形態では、１段目と２段目の櫛部６０，６１の歯６０ａ，６１ａを同じまっすぐに伸びる形状にしているが、１段目と２段目を異なる形状とすることで、ブラシ２７の毛２７ａの揺すり方を変えてもよい。例えば、２段目の歯６１ａの形状を、図１０（ａ）の櫛部６３の歯６３ａのようにＳ字型にしたり、図１０（ｂ）の櫛部６４の歯６４ａのように斜め型にしたり、図１０（ｃ）の櫛部６５の歯６５ａように斜め型にして凹凸をつけてもよい。なお、図１０において、一点鎖線で示した位置にブラシ２７の回転軸の中心２７ｂが配置され、二点鎖線で示した位置にブラシ２７の毛２７ａの先端２７ａ１が配置される。
【００５９】
また、１段目の歯６０ａの形状を図１０に示すような形にして、２段目は１段目と異なる歯の形としてもよい。例えば、１段目をＳ字型の歯６３ａとすると、２段目を図７に示したような真直ぐの歯６０ａ、図１０（ｂ）の斜め型の歯６４ａ、図１０（ｃ）の斜め型にして凹凸を付けた歯６５ａすることができる。このとき、侵入角度α、βは同じであってもよいし、異ならせてよい。また、侵入深さを同じにしてもよいし、異ならせてもよい。あるいは、歯のピッチを同じにしてもよいし、互いに異ならせてもよい。
【００６０】
＜第４実施形態＞
第４実施形態による空気調和装置の室内機について図１１及び図１２を用いて説明する。第４実施形態の室内機は、第１実施形態の室内機とダストボックス２９に取り付けられたブラシ清掃機構２８が異なるだけである。第１実施形態では、１段目と２段目をともに櫛部６０，６１としたが、図１１及び図１２に示すように、１段目においてブラシ２７に接触する清掃部材６６の先端を板状部材６６ａとしてもよい。この板状部材６６ａの上面６６ｃがブラシ２７の外周に交わる線６６ｂ及びブラシ２７の中心２７ｂの両方を含む面と櫛部６６の上面６６ｃとのなす角εは、例えば数度〜十数度になるように設定される。それにより、毛２７ａの先端が先に櫛部６６の上面６６ｃに当たるため、毛２７ａの損傷を少なくすることができる。この場合は、１段目においてブラシ２７の回転方向に毛２７ａが揺すられ、揺することで埃がブラシから離脱しやすい状態にでき、２段目においては、梳く効果があり、塵埃を掻き落とす効果を高めることができる。この板状部材６６ａは、ブラシ２７の下方に取り付けられ、重力で塵埃が下に落ちるように設定されている。そのため、板状部材６６ａの両端は、アーム６６ｄで支えられている。なお、板状部材６６ａは、例えば面２９ａの開口部２９ｂ側に設けてもよく、板状部材６６ａで撓ったブラシ２７の毛２７ａが下に向けて塵埃をふるい落とせる位置に配置されればよい。
【００６１】
＜第５実施形態＞
第５実施形態による空気調和装置の室内機について図１３を用いて説明する。第５実施形態の室内機は、第１実施形態の室内機とダストボックス２９に取り付けられたブラシ清掃機構２８が異なるだけである。第１記実施形態では、櫛部６０，６１を２段に配置したが、図１３に示すように３段としてもよい。図１３において、ブラシ清掃機構２８は、櫛部６７と清掃部材６８，６９を備える。櫛部６７とその歯６７ａは、図９に示した櫛部６１とその歯６１ａと同じ構成であって、配置位置を変えたものである。また、清掃部材６８，６９は、図１１に示した板状部材６６ａと同じようにブラシ２７に沿って伸びる連続体である棒状部材６８ａ，６９ａを有する。棒状部材６８ａは、ブラシ２７の中心２７ｂから半径ｒ２だけ離れた位置に配置され、櫛部６７の歯６７ａよりも外周側（半径ｒ１＜半径ｒ２）に配置されている。また、棒状部材６９ａは、棒状部材６８ａよりもさらに外周側（半径ｒ２＜半径ｒ３）に配置されている。そのため、櫛部６７の歯６７ａで塵埃が梳き取られるとともに毛２７ａが横に揺すられて塵埃が落ちる効果に加え、棒状部材６８ａ，６９ａで揺すられて塵埃が落ちる効果がある。ブラシ２７に挿入されているこれら棒状部材６８ａ，６９ａの挿入量が異なることから、一旦棒状部材６８ａで撓ってもとに戻ろうとする毛２７ａがさらに棒状部材６９ａに衝突するため、塵埃を弾き飛ばす効果が生じる。例えば、図１３のブラシ清掃機構２８の構成から櫛部６７を除いて棒状部材６８ａ，６９ａだけの構成としても効果がある。
【００６２】
＜特徴＞
（１）
第１実施形態の空気調和装置の室内機１において、櫛部６０，６１では、歯６０ａ，６１ａの挿入角度α，βが異なるために、歯６０ａ，６１ａがブラシ２７の毛２７ａに接触する仕方が異なる。また、櫛部６０，６１では、歯６０ａ，６１ａのピッチＰ０，Ｐ１が異なるため、さらに歯６０ａ，６１ａがブラシ２７の毛２７ａに接触する仕方に差が出る。第２実施形態においては、櫛部６０，６２では、歯６０ａ，６２ａの挿入量が異なるために、歯６０ａ，６２ａがブラシ２７の毛２７ａに接触する仕方が異なる。第３実施形態においては、櫛部６０と櫛部６３，６４，６５では、歯６０ａ，６３ａ，６４ａ，６５ａの形状が異なるために、歯６０ａ，６３ａ，６４ａ，６５ａがブラシ２７の毛２７ａに接触する仕方が異なる。第４実施形態においては、清掃部材６６と櫛部６１とで、接触させる部位が板状部材６６ａと歯６１ａの違いがあるため、ブラシ２７の毛２７ａに接触する仕方が異なる。第５実施形態においては、櫛部６７と清掃部材６８，６９で、接触させる部位が歯６７ａと棒状部材６８ａ，６９ａとの違いがあり、棒状部材６８ａ，６９ａ同士では挿入量の違いがあるため、ブラシ２７の毛２７ａに接触する仕方が異なる。
【００６３】
それにより、ブラシ２７の毛２７ａとの接触の仕方が異なることから、ブラシ２７の毛２７ａを揺らす揺らし方に差を設けることができ、ブラシ２７の毛２７ａからの塵埃の除去のされ方のバリエーションが豊富になるため、塵埃を十分に除去することができる。
【００６４】
（２）
第１実施形態の空気調和装置の室内機１においては、櫛部６０，６１で、歯６０ａ，６１ａのピッチＰ０，ｐ１が異なり、櫛部６０，６１の形状が異なる。同時に、櫛部６０，６１では、歯６０ａ，６１ａの挿入角度α，βが異なり、櫛部６０，６１の歯６０ａ，６１ａのブラシ２７に対する相対的位置関係が異なる。第２実施形態においては、櫛部６０，６２で、歯６０ａ，６２ａの挿入量が異なり、歯６０ａ，６２ａの相対的位置関係が異なる。第３実施形態においては、櫛部６０と櫛部６３，６４，６５では、歯６０ａ，６３ａ，６４ａ，６５ａの形状が異なり、櫛部６０と櫛部６３，６４，６５との形状が異なる。第４実施形態においては、清掃部材６６と櫛部６１とで、接触させる部位が板状部材６６ａと歯６１ａの違いがあり、清掃部材６６と櫛部６１の形状が異なる。第５実施形態においては、櫛部６７と清掃部材６８，６９では、接触させる部位が歯６７ａと棒状部材６８ａ，６９ａとの違いがあり、櫛部６７と清掃部材６８，６９とでは形状が異なる。棒状部材６８ａ，６９ａ同士では挿入量の違いがあり、棒状部材６８ａ，６９ａ同士のブラシ２７に対する相対的位置関係が異なる。
【００６５】
それにより、例えば材質を異ならせることによってもブラシ２７の毛２７ａに対する接触の仕方を異ならせることができるが、形状や相対的位置関係を変えることにより、簡単に大きく毛２７ａの揺すり方を変えることができる。その結果、塵埃を効果的に十分に除去することができる。
【００６６】
（３）
第１実施形態の空気調和装置の室内機１において、櫛部６０，６１では、歯６０ａ，６１ａにより塵埃を梳き取るという効果に加え、歯６０ａ，６１ａの挿入角度α，βが異なり、ブラシ２７の奥まで入り込んだ塵埃は角度の大きい歯６０ａの方が掻き落とし易く、ブラシ２７の毛２７ａの先端に近い浅いところの塵埃は角度の小さい歯６１ａが掻き落とし易い。その結果、ブラシ２７の奥も浅いところも塵埃を十分に除去することができる。
【００６７】
（４）
第２実施形態の空気調和装置の室内機１において、櫛部６０，６２では、歯６０ａ，６２ａにより塵埃を梳き取るという効果に加え、歯６０ａ，６２ａの挿入量が異なり、ブラシ２７の奥まで入り込んだ塵埃は奥まで差し込んだ歯６０ａで掻き落とし易く、ブラシ２７の毛２７ａの先端に近い浅いところの塵埃は浅く差し込んだ歯６２ａの方が掻き落とし易い。その結果、ブラシ２７の奥も浅いところも塵埃を十分に除去することができる。
【００６８】
（５）
第１実施形態の空気調和装置の室内機１において、櫛部６０，６１では、歯６０ａ，６２ａにより塵埃を梳き取るという効果に加え、歯６０ａ，６１ａのピッチＰ０，Ｐ１が異なり、歯６０ａの隙間に入って束ねられるブラシ２７の毛２７ａが歯６１ａの隙間で束ねられる毛２７ａとは異なる。歯６０ａ，６１ａのピッチＰ０，Ｐ１が異なると、前の歯６０ａに当たって曲げられた毛２７ａが、後の歯６１ａでは別の角度に曲げられる。このように簡単な構成でブラシ２７の毛２７ａの揺れ方に変化をもたせることができる。そのため、毛２７ａの束を再構成する際に塵埃が振り落とされる。その結果、梳き方の違いや毛の揺すり方の違いで、塵埃の除去がさらに進み、塵埃の十分な除去ができる。第１実施形態では、歯６０ａ，６１ａのピッチＰ０，Ｐ１を異ならせる場合について説明したが、歯６０ａ，６１ａの幅Ｗ０，Ｗ１を変えても、毛２７ａの束ね方が異なることから塵埃除去の効果が高まる。
【００６９】
（６）
第３実施形態の空気調和装置の室内機１において、櫛部６０と櫛部６３，６４，６５では、歯６０ａ，６３ａ，６４ａ，６５ａの形状が異なり、歯６０ａ，６３ａ，６４ａ，６５ａにより塵埃を梳き取るという効果に加え、歯６０ａ，６３ａ，６４ａ，６５ａの隙間にはいるブラシ２７の毛２７ａの曲がり方を、櫛部６０と櫛部６３，６４，６５で異ならせることができ、梳き方に変化をもたせることができる。その結果、歯６０ａ，６３ａ，６４ａ，６５ａで梳くときのブラシ２７の毛２７ａの曲がり方を違えて形状や性質の異なる塵埃を十分に除去することができる。
【００７０】
（７）
第４実施形態及び第５実施形態の空気調和装置の室内機１においては、清掃部材６６や清掃部材６８，６９でブラシ２７の回転方向と同じ方向に毛２７ａを揺することができる。加えて、ブラシ２７の毛２７ａが弾かれることにより勢いよく揺すられる。一方、櫛部６１，６７では、歯６１ａ，６７ａで梳く効果に加えて、歯６１ａ，６７ａで束ねられ、歯６１ａ，６７ａを抜けるとまた元に戻ることから揺すられて塵埃が落とされる。清掃部材６６，６８，６９において、櫛部６１，６７とは異なるモードで塵埃の除去がなされるため、塵埃を十分に除去することができる。そして、これら清掃部材６６，６８，６９が毛２７ａに接触する部分は、板状部材６６ａや棒状部材６８ａ，６９ａなどの簡素な連続体で構成されているため、安価な構成で十分な塵埃除去が可能になる。
【００７１】
（８）
第５実施形態の空気調和装置の室内機１においては、２本の棒状部材６８ａ，６９ａの差し込み量を互いに異ならせているため、毛２７ａの撓り方が異なり、塵埃除去のモードが異なる。また、前の棒状部材６８ａで弾かれた毛２７ａが勢い良く後ろの棒状部材６８ａにぶつかる。それにより、清掃部材６８，６９のコンビネーションで新たな塵埃除去のモードを形成し、塵埃の十分な除去ができる。
【００７２】
＜変形例＞
（ａ）
上記実施形態では、室内機が天井設置型のものについて説明したが、室内機のタイプは天井設置型のものには限られない。
【図面の簡単な説明】
【００７３】
【図１】本発明の第１実施形態に係る空気調和装置の室内機の外観を示す斜視図。
【図２】図１のＡ−Ａ線で切断した室内機の断面図。
【図３】（ａ）運転時の空気調和装置の側面図。（ｂ）運転停止時の空気調和装置の側面図。（ｃ）メンテナンス時の空気調和装置の側面図。
【図４】可動パネル降下時の可動パネルと化粧板周辺の斜視図。
【図５】フィルタ清掃機構の構造の概略を説明するための断面図。
【図６】（ａ）フィルタが前方収納部にあるときのエアフィルタ収納部の断面図。（ｂ）フィルタが後方収納部にあるときのエアフィルタ収納部の断面図。（ｃ）フィルタを取り出すときのエアフィルタ収納部の断面図。
【図７】第１実施形態に係るダストボックスとブラシの構成の概略を示す断面図。
【図８】図７のブラシ清掃機構の一部を示す平面図。
【図９】第２実施形態に係るダストボックスとブラシの構成の概略を示す断面図。
【図１０】（ａ）第３実施形態に係る櫛部の歯の一形状を示す断面図。（ｂ）第３実施形態に係る櫛部の歯の他の形状を示す断面図。（ｃ）第３実施形態に係る櫛部の歯のその他の形状を示す断面図。
【図１１】第４実施形態に係るダストボックスとブラシの構成の概略を示す断面図。
【図１２】図１１のブラシ清掃機構の一部を示す平面図。（ｂ）エアフィルタのＤ−Ｄ線断面図。
【図１３】第５実施形態に係るダストボックスとブラシの構成の概略を示す断面図。
【符号の説明】
【００７４】
６  エアフィルタ
６ｃ  ラックギア
２１  エアフィルタ収納部
２７  ブラシ
２７ａ  毛
２８  ブラシ清掃機構
２９  ダストボックス
３７  駆動モータ
４１  ピニオンギア
６０，６１，６２，６３，６４．６５，６７  櫛部（清掃部材）
６０ａ，６１ａ、６２ａ，６３ａ，６４ａ，６５ａ，６７ａ  歯
６６，６８，６９  清掃部材
６６ａ  板状部材
６８ａ，６９ａ  棒状部材
【図１】
2010032133.tif 000003
【図２】
2010032133.tif 000004
【図３】
2010032133.tif 000005
【図４】
2010032133.tif 000006
【図５】
2010032133.tif 000007
【図６】
2010032133.tif 000008
【図７】
2010032133.tif 000009
【図８】
2010032133.tif 000010
【図９】
2010032133.tif 000011
【図１０】
2010032133.tif 000012
【図１１】
2010032133.tif 000013
【図１２】
2010032133.tif 000014
【図１３】
2010032133.tif 000015